(57)【要約】【課題】施工が容易なテレビコンセントを提供する。【解決手段】収納ボックス４に収納されて壁面付近に備えられるコンセント本体３があって、コンセント本体３は、収納ボックス４から露出して設けられテレビ受像機のアンテナプラグが接続されるアンテナジャック部３１と、壁に先行配線された先行配線ケーブル２が接続される端子部３２とを具備している。また、このテレビコンセントにおいて、一端が端子部３２に取り付けられ他端が先行配線ケーブル２に接続される補助ケーブル１を、端子部３２と先行配線ケーブル２との間に介在して設けており、補助ケーブル１は先行配線ケーブル２よりも外径が細く、収納ボックス４内に納められる程度の長さのものを用いている。【選択図】図１
2008159342.tif 000002
【特許請求の範囲】
【請求項１】
収納ボックスに収納されて壁面付近に備えられるコンセント本体があって、コンセント本体は、収納ボックスから露出して設けられテレビ受像機のアンテナプラグが接続されるアンテナジャック部と、壁に先行配線された先行配線ケーブルが接続される端子部とを具備したテレビコンセントにおいて、
一端が端子部に取り付けられ他端が先行配線ケーブルに接続される補助ケーブルを、端子部と先行配線ケーブルとの間に介在して設けており、補助ケーブルは先行配線ケーブルよりも外径が細いことを特徴とするテレビコンセント。
【請求項２】
前記補助ケーブルは、前記収納ボックス内に納められる程度の長さであることを特徴とする請求項１記載のテレビコンセント。
【請求項３】
前記補助ケーブルは、前記端子部に着脱自在に取り付けられることを特徴とする請求項１または２記載のテレビコンセント。
【発明の詳細な説明】
【技術分野】
【０００１】
本願発明は、テレビコンセントに関するものである。
【背景技術】
【０００２】
従来から、特開平７−２１１４０１号公報（特許文献１）に示されるテレビコンセントが知られていた。このテレビコンセントは、図９に示すように、収納ボックス９１が壁面に埋め込まれており、壁に先行配線された同軸ケーブル９２を収納ボックス９１内に呼び込んで、コンセント本体９３の端子部９４に接続するものである。
【０００３】
このテレビコンセントの施工手順は、まず、同軸ケーブル９２を適当な長さだけ壁から外部に引き出された状態とし、先端にＦ型接栓９５を取り付ける。そして、この同軸ケーブル９２をコンセント本体９３の端子部９４に接続し、その後、コンセント本体９３を同軸ケーブル９２と共に壁内に押し込むことで、コンセント本体９３は壁面に設置される。なお、同軸ケーブル９２は施工時において外部に引き出した分を壁内に納める必要があるため、図９に示すように曲げられた状態で収納ボックス９１内に納められている。
【特許文献１】特開平７−２１１４０１号公報
【発明の開示】
【発明が解決しようとする課題】
【０００４】
一方、近年、テレビ放送はＢＳ（Broadcasting Satellite）、ＣＳ（Communication Satellite）放送等のより高い周波数を使用する放送形態が普及しており、高周波の電波を安定して伝送することが要求されている。したがって、伝送するテレビ電波の低損失化を実現するため、より外径の太い同軸ケーブルが使用されるようになっている。また、テレビ放送のデジタル化に伴い、よりノイズ等の電波障害に強い二重シールドの同軸ケーブルが使用されている。
【０００５】
しかしながら、このような外径の太い同軸ケーブルは、外径の細いものに比べて硬くなっており、図９に示すように、施工時において、先行配線された同軸ケーブル９２を曲げて、収納ボックス９１内に収納することは非常に困難な作業となっていた。
【０００６】
本願発明は、上記背景技術に鑑みて発明されたものであり、その課題は、施工が容易なテレビコンセントを提供することである。
【課題を解決するための手段】
【０００７】
上記課題を解決するために、本願請求項１記載の発明では、収納ボックスに収納されて壁面付近に備えられるコンセント本体があって、コンセント本体は、収納ボックスから露出して設けられテレビ受像機のアンテナプラグが接続されるアンテナジャック部と、壁に先行配線された先行配線ケーブルが接続される端子部とを具備したテレビコンセントにおいて、一端が端子部に取り付けられ他端が先行配線ケーブルに接続される補助ケーブルを、端子部と先行配線ケーブルとの間に介在して設けており、補助ケーブルは先行配線ケーブルよりも外径が細いことを特徴としている。
【０００８】
また、本願請求項２記載の発明では、上記請求項１記載のテレビコンセントにおいて、前記補助ケーブルは、前記収納ボックス内に納められる程度の長さであることを特徴としている。
【０００９】
また、本願請求項３記載の発明では、上記請求項１または２記載のテレビコンセントにおいて、前記補助ケーブルは、前記端子部に着脱自在に取り付けられることを特徴としている。
【発明の効果】
【００１０】
本願請求項１記載のテレビコンセントにおいては、外径の細い補助ケーブルをコンセント本体と先行配線ケーブルとの間に介在して設けているため、外径の太い先行配線ケーブルを直接コンセント本体に接続させる必要がなくなり、施工が容易になるものである。
【００１１】
また、本願請求項２記載のテレビコンセントにおいては、補助ケーブルは収納ボックス内に納められる程度の長さであるため、外径の細い補助ケーブルを介在させても、テレビ電波の伝送に与える影響を少なくすることができる。
【００１２】
また、本願請求項３記載のテレビコンセントにおいては、補助ケーブルは端子部に着脱自在に取り付けられるため、使い勝手の良いテレビコンセントとなる。
【発明を実施するための最良の形態】
【００１３】
図１〜７は、一実施形態であるテレビコンセントを示している。このテレビコンセントは、収納ボックス４に収納されて壁面付近に備えられるコンセント本体３があって、コンセント本体３は、収納ボックス４から露出して設けられテレビ受像機のアンテナプラグが接続されるアンテナジャック部３１と、壁に先行配線された先行配線ケーブル２が接続される端子部３２とを具備している。また、このテレビコンセントにおいて、一端が端子部３２に取り付けられ他端が先行配線ケーブル２に接続される補助ケーブル１を、端子部３２と先行配線ケーブル２との間に介在して設けており、補助ケーブル１は先行配線ケーブル２よりも外径が細く、収納ボックス４内に納められる程度の長さのものを用いている。
【００１４】
以下、この実施形態のテレビコンセントを、より具体的詳細に説明する。図１、２はテレビコンセントの正面図及び裏面図を表している。図１、２に示すように、このテレビコンセントは、収納ボックス４と、コンセント本体３と、補助ケーブル１とを備えている。収納ボックス４は前面が開口したボックス本体４１と、ボックス本体４１の前面に螺子止めされる枠体４２とからなり、建物の壁面に埋め込まれて備えられる。ボックス本体４１の上面には引き込み孔４３が設けられており、この引き込み孔４３から壁内に先行配線された先行配線ケーブル２が収納ボックス４の内部に引き込まれる。枠体４２は、コンセント本体３をその前面が収納ボックス４から露出させた状態で嵌合固定するものである。
【００１５】
コンセント本体３は、前面カバー３３が嵌め込まれた金属筐体（例えば、亜鉛ダイキャスト）で形成されており、アンテナプラグが接続されるアンテナジャック部３１と、テレビ電波が入力される端子部３２とが設けられている。端子部３２には、補助ケーブル１が取り付けられており、補助ケーブル１は収納ボックス４の内部に引き込まれた先行配線ケーブル２と接続される。先行配線ケーブル２は、通常、ＪＩＳ規格により定められたS-5C-FBの同軸ケーブルが用いられているが、より高周波に対応してより硬い三重シールドの同軸ケーブルが用いられることもある。一方、補助ケーブル１は先行配線ケーブル２よりも外径の細い同軸ケーブルを用いており、例えば、S-4C-FBの同軸ケーブルを用いることができる。また、補助ケーブル１は、収納ボックス４の内部に納まる程度の長さになっている。
【００１６】
次に、コンセント本体３の内部構造について説明する。図３（ａ）〜（ｃ）に示すようにコンセント本体３におけるアンテナジャック部３１の内部には、アンテナプラグの芯線を挟持する挟持ばね７が設けられており、挟持ばね７は基板３４に接続している。基板３４は、必要に応じて送り配線に対応した分岐回路や抵抗回路が設けられるものである。また、端子部３２は、図３（ｃ）に示すように、筒部３５と外殻部３６とからなっており、外殻部３６の内側面には基板３４側に向かって傾斜して突起した抜け止め片３７が設けられている。図３（ｂ）に示すように、補助ケーブル１は端子部３２に差し込まれ、補助ケーブル１の編組線１０及び外皮１１は筒部３５の外側を覆った状態となり、芯線８及び絶縁体９は筒部３５に挿入される。ここで、芯線８は基板３４に半田付けされて、編組線１０及び外皮１１は外殻部３６に設けられた抜け止め片３７に引っかかるようになっている。このように、編組線１０及び外皮１１が抜け止め片３７に引っかけられることで、補助ケーブル１と端子部３２との接続は強固なものとなるため、リングでかしめるといった作業を必要とすることなく容易に施工することができる。
【００１７】
次に、補助ケーブル１と先行配線ケーブル２との接続について説明する。図４に示すように、補助ケーブル１及び先行配線ケーブル２の先端には従来から用いられているＦ型接栓５が取り付けられており、両者はＦ型接栓５により接続するようになっている。
【００１８】
また、補助ケーブル１と先行配線ケーブル２との接続は、図５に示すような構造であってもよい。この構造では、補助ケーブル１の先端には筒型接続部６が取り付けられており、先行配線ケーブル２には特に接続構造を取り付ける必要はない。筒型接続部６は、図６（ａ）に示すように、筒体６２の内部において挟持ばね７及び挟持ばね７を覆う絶縁部６１が設けられている。図６（ｂ）に示すように、この筒型接続部６に外皮１１を適当な長さ剥いだ先行配線ケーブル２を差し込むことで、先行配線ケーブル２の芯線８は挟持ばね７に挟持される。ここで、先行配線ケーブル２の編組線１０及び外皮１１は筒体６２の外側を覆う状態となり、この状態で外皮１１の外側からリング１２をかしめることで接続が完了する。このように、筒型接続部６を用いた場合においては、先行配線ケーブル２に予め接続部材を取り付ける必要がなく施工作業を減らすことができると共に、Ｆ型接栓５に用いられていた螺子やナットといった部材をなくすことが可能であるため、接続部分を小型化することができ、より施工し易くなるものである。
【００１９】
以下、このテレビコンセントの施工方法について説明する。まず、先行配線ケーブル２を引き込み孔４３からボックス本体４１の内部に引き込んだ後、ボックス本体４１を壁面に埋め込む。先行配線ケーブル２は、ボックス本体４１内に納まる程度の長さに調整し、Ｆ型接栓５を用いる場合は先端にＦ型接栓５を取り付ける。次に、コンセント本体３を枠体４２に嵌め込み、端子部３２に取り付けられた補助ケーブル１を先行配線ケーブル２に接続する。その後、補助ケーブル１をボックス本体４１内に納めると共に、枠体４２をボックス本体４１の前面に取り付ける。ここで、補助ケーブル１は先行配線ケーブル２に比べて外径が細く曲げ易い同軸ケーブルを用いているため、収納ボックス４の内部にも容易に納めることが可能である。したがって、このテレビコンセントでは、従来のように外径の太い先行配線ケーブル２を直接コンセント本体３に接続する場合と比べて、容易に施工することができる。また、補助ケーブル１は収納ボックス４内に納められる程度の長さであるため、外径の細い補助ケーブル１を介在させても、テレビ電波の伝送に与える影響を少なくすることができる。
【００２０】
なお、コンセント本体３は、図７に示すように端子部３２が二つ設けられた送り配線型のものであってもよい。このコンセント本体３には、入力端子３２ａ及び出力端子３２ｂの二つの端子部が設けられており、出力端子３２ｂから出力されたテレビ電波は同軸ケーブルを通って他のテレビコンセントへと伝送される。したがって、入力端子３２ａ及び出力端子３２ｂにはそれぞれ補助ケーブル１が取り付けられており、二つの補助ケーブル１は別々の先行配線ケーブルに接続される。
【００２１】
図８は、別の実施形態であるテレビコンセントを示している。なお、ここでは、上記の実施形態と相違する事項についてのみ説明し、その他の事項（構成、作用効果等）については、上記の実施形態と同様であるのでその説明を省略する。このテレビコンセントは、コンセント本体３に設けられた端子部３２に補助ケーブル１が着脱自在に取り付けられている。端子部３２と補助ケーブル１との取付構造は、例えば、図８に示すようにＦ型接栓５を用いることができる。
【００２２】
したがって、この実施形態のテレビコンセントにおいては、必要に応じて補助ケーブル１を取り替えることが可能となる。例えば、補助ケーブル１の外径が太くて収納ボックス４内に納めることが困難である場合は、さらに外径の細い補助ケーブル１に取り替えて施工することができ、使い勝手が良くなるものである。
【図面の簡単な説明】
【００２３】
【図１】本願発明の一実施形態であるテレビコンセントを示す正面図。
【図２】同テレビコンセントを示す裏面図。
【図３】同テレビコンセントのコンセント本体を示す（ａ）断面図、（ｂ）補助ケーブルが差し込まれた状態を示す断面図、（ｃ）別の断面図。
【図４】同テレビコンセントの補助ケーブルと先行配線ケーブルとの接続状態を示した図。
【図５】同テレビコンセントの補助ケーブルと先行配線ケーブルとの接続状態を示した図。
【図６】同テレビコンセントの（ａ）筒型接続部を示す断面図、（ｂ）先行配線ケーブルが差し込まれた状態を示す断面図。
【図７】同テレビコンセントのコンセント本体を示す正面図。
【図８】本願発明の別の実施形態であるテレビコンセントの接続状態を示す図。
【図９】従来例であるテレビコンセントを示す断面図。
【符号の説明】
【００２４】
１  補助ケーブル
２  先行配線ケーブル
３  コンセント本体
31アンテナジャック部
32端子部
４  収納ボックス
【図１】
2008159342.tif 000003
【図２】
2008159342.tif 000004
【図３】
2008159342.tif 000005
【図４】
2008159342.tif 000006
【図５】
2008159342.tif 000007
【図６】
2008159342.tif 000008
【図７】
2008159342.tif 000009
【図８】
2008159342.tif 000010
【図９】
2008159342.tif 000011